(57)【特許請求の範囲】
【請求項１】
防滴機能を有し、燃料電池を電源として用いる電子機器において、
筐体と、
前記筐体内に設けられ、前記燃料電池を収納する電池室と、
前記筐体に収納され、光軸方向に前進および後退可能な鏡筒と、
前記筐体内に設けられ、前記電池室の空間と前記鏡筒部内の空間と連通させる通気路と、
前記鏡筒を前記光軸方向に進退させる制御をする制御手段と、
前記電池室の空間と前記筐体の外部を連通する少なくとも１つの空気孔と、
前記空気孔に対して、水密に密着された通気非通水性フィルタと
を備え、
前記制御手段の制御による前記鏡筒の前進により、前記筐体外部の空気を前記空気孔、前記通気非通水性フィルタ、前記電池室、および前記通気路の順に形成される経路で前記鏡筒部内の空間に取り込み、前記制御手段の制御による前記鏡筒の後退により、前記鏡筒部内の空間の空気を、前記通気路、前記電池室、前記通気非通水性フィルタ、および前記空気孔の順に形成される経路で前記筐体の外部に放出することで、前記電池室に収納された前記燃料電池のエネルギーの発生に必要な空気の流動を生成する
ことを特徴とする電子機器。
【発明の詳細な説明】
【０００１】
【発明の属する技術分野】
本発明は、電子機器に関し、特に、燃料電池の性能の低下を抑制するようにした電子機器に関する。
【０００２】
【従来の技術】
近年、さまざまな電子機器への新たなエネルギーの供給源として、燃料電池が注目され、開発されている。この燃料電池においては、通常、空気中の酸素を利用することによりエネルギーが生成される。
【０００３】
【発明が解決しようとする課題】
しかしながら、このような燃料電池が、カメラなどの小型化された電子機器に使用される場合、効率的な空気の入れ替えができないという課題があった。
【０００４】
特に、カメラを水密に密封させる必要がある防滴機能を有する防滴カメラにおいては、空気を取り入れる場所も限られており、空気を充分に供給することが困難であるため、燃料電池の性能が最大限に発揮されず、性能が低下してしまうという課題があった。
【０００５】
本発明は、このような状況に鑑みてなされたものであり、燃料電池の性能の低下を抑制することができるようにするものである。
【０００６】
【課題を解決するための手段】
本発明の電子機器は、筐体と、筐体内に設けられ、燃料電池を収納する電池室と、筐体に収納され、光軸方向に前進および後退可能な鏡筒と、筐体内に設けられ、電池室の空間と鏡筒部内の空間と連通させる通気路と、鏡筒を光軸方向に進退させる制御をする制御手段と、電池室の空間と筐体の外部を連通する少なくとも１つの空気孔と、空気孔に対して、水密に密着された通気非通水性フィルタとを備え、制御手段の制御による鏡筒の前進により、筐体外部の空気を空気孔、通気非通水性フィルタ、電池室、および通気路の順に形成される経路で鏡筒部内の空間に取り込み、制御手段の制御による鏡筒の後退により、鏡筒部内の空間の空気を、通気路、電池室、通気非通水性フィルタ、および空気孔の順に形成される経路で筐体の外部に放出することで、電池室に収納された燃料電池のエネルギーの発生に必要な空気の流動を生成することを特徴とする。
【０００８】
本発明の電子機器においては、鏡筒の前進により、筐体外部の空気を空気孔、通気非通水性フィルタ、電池室、および通気路の順に形成される経路で鏡筒部内の空間に取り込み、制御手段の制御による鏡筒の後退により、鏡筒部内の空間の空気を、通気路、電池室、通気非通水性フィルタ、および空気孔の順に形成される経路で筐体の外部に放出することで、電池室に収納された燃料電池のエネルギーの発生に必要な空気の流動が生成される。
【０００９】
【発明の実施の形態】
【００１３】
以下、図を参照して本発明の実施の形態について説明する。
【００１４】
図１は、本発明を適用した防滴カメラの外観の構成例を示す正面図である。図１においては、鏡筒１１が防滴カメラ１の中央部に設けられ、ファインダ１２が鏡筒１１の右上に設けられ、ストロボ１３がファインダ１２の右側に設けられている。
【００１５】
鏡筒１１は、撮影レンズ２８（図２）を保持している。ファインダ１２は、ユーザにより被写体を確認するために使用される。ストロボ１３は、撮影時に被写体を照射する光源である。
【００１６】
防滴カメラ１の内部におけるストロボ１３の下にあたる位置には、燃料としてメタノールを使用し、空気中の酸素を利用して、エネルギーを生成する燃料電池１４が収められており、この防滴カメラ１全体に対して電源を供給している。
【００１７】
防滴カメラ１の内部には、また、鏡筒駆動モータ１５が備えられている。この鏡筒駆動モータ１５による駆動力が、鏡筒駆動ギア１６−１乃至１６−５に順に伝達されることにより、鏡筒１１が光軸方向に進退される。
【００１８】
図２は、図１の防滴カメラ１をＡ−Ａにおいて切断された構成例を示す断面図である。図２において、防滴カメラ１の表面は、防滴カメラ１の前面を覆う前カバー２１−１および２１−２、防滴カメラ１の右側面を覆う後カバー２２−１、および、防滴カメラ１の左側面から裏面右側を覆う後カバー２２−２、並びに、防滴カメラ１の裏面左側を覆う裏蓋２３により構成される。
【００１９】
裏蓋２３は、ヒンジ２５を軸として回動することにより、裏カバー２２−２で停止される位置まで開くことが可能である。この裏蓋２３を開くことで、ユーザにより、防滴カメラ１の内部にフィルムパトローネが装着される。
【００２０】
前カバー２１−１と後カバー２２−１の間、前カバー２１−２と後カバー２２−２の間には、それぞれ弾性部材２４−１および２４−２が取り付けられており、裏蓋２３と後カバー２２−１の間、裏蓋２３と後カバー２２−２の間には、それぞれ弾性部材２６−１および２６−２が取り付けられている。また、鏡筒１１と前カバー２１−１の間、鏡筒１１と前カバー２１−２の間には、それぞれ弾性部材２７−１および２７−２が取り付けられている。これらの弾性部材２４−１，２４−２，２６−１，２６−２，２７−１，および２７−２により、防滴カメラ１の表面は水密に密封されている。
【００２１】
防滴カメラ１の内部は、左側から順に、パトローネ室３１、鏡筒部空間３２、スプロケット３３、および電池室３４により構成されている。
【００２２】
パトローネ室３１には、フィルムパトローネが収納される。フィルムパトローネから引き出されたフィルムは、鏡筒内部空間３２を介して、スプロケット３３のスプール（図示せず）に引っ掛けられ、スプロケット３３により送られる。
【００２３】
鏡筒部空間３２は、被写体を撮像するための複数の撮影レンズ２８を保持する鏡筒１１が収められる空間である。鏡筒部空間３２には、鏡筒１１の進退をガイドするためのガイド２９−１および２９−２が備えられており、鏡筒１１は、ガイド２９−１および２９−２に沿って進退動作を行う。すなわち、ユーザは、鏡筒１１を、鏡筒駆動モータ１５の駆動により、ガイド２９−１および２９−２の最先端まで前進させることができ、ガイド２９−１および２９−２の最後端まで後退させることができる。
【００２４】
したがって、この鏡筒部空間３２は、鏡筒１１が前進すると、鏡筒１１が前進された分、広くなるため、鏡筒内部空間３２の容積は大きくなる。逆に、鏡筒１１が後退され、鏡筒部空間３２に収められると、鏡筒内部空間３２の容積は小さくなる。
【００２５】
電池室３４には、燃料電池１４が収納される。この電池室３４の右側面の後カバー２２−２には、電池室３４内の空気を防滴カメラ１の外側に連通させるための貫通孔４１が設けられる。この貫通孔４１の内側には、貫通孔４１を水密に密封するための通気非通水性フィルタ４２が取り付けられている。したがって、防滴カメラ１においては、この貫通孔４１および通気非通水性フィルタ４２を介して、電池室３４内の空気が防滴カメラ１の外部に出し入れされる。なお、この通気非通水性フィルタ４２は、通気非通水性フィルタ４２に対して圧力が加えられない場合、水を通さない（水密に密封する）が、通気非通水性フィルタ４２に対して圧力が加えられると水を通すように構成される。
【００２６】
また、実際には、貫通孔４１は、複数設けられており、防滴カメラ１を側面から見ると、図３に示されるように、貫通孔４１−１乃至４１−４が縦に４つ設けられている。なお、この貫通孔４１−１乃至４１−４は、１つ以上であれば何個設けられてもよく、さらに、その並び方も縦に限られてはいない。
【００２７】
さらに、鏡筒部空間３２と電池室３４の間には、通気口３５が設けられており、鏡筒１１が進退動作を行い、鏡筒部空間３２の容積が変化した場合、鏡筒部空間３２の空気は、通気口３５、電池室３４、通気非通水性フィルタ４２および貫通孔４１を介して、防滴カメラ１の外部に出し入れされる。
【００２８】
図４は、防滴カメラ１の電気的な構成例を示すブロック図である。なお、図４においては、図１乃至図３において説明した部分については、繰り返しになるので、その説明を省略する。
【００２９】
ＣＰＵ（Central Processing Unit）６１は、防滴カメラ１の全体の動作を制御する。また、ＣＰＵ６１は、ズームスイッチ７１、メインスイッチ７２またはレリーズスイッチ７３から入力される信号、並びに、測距部７４または測光部７５からの出力に基づいて、鏡筒駆動モータ１５、給送モータ７６またはシャッタ７７を駆動する。
【００３０】
ズームスイッチ７１は、撮影レンズ２８の焦点距離を変更するためのスイッチである。このズームスイッチ７１を操作することにより、撮影レンズ２８を保持する鏡筒１１が進退し、撮影レンズ２８の焦点距離が変更される。
【００３１】
メインスイッチ７２は、防滴カメラ１を作動状態にするためのスイッチである。このメインスイッチ７２を操作することにより、防滴カメラ１に燃料電池１４から電源が供給される。
【００３２】
レリーズスイッチ７３は、撮影するためにシャッタ７７を切るためのスイッチである。このレリーズスイッチ７３を操作することにより、シャッタ７７により、フィルムが露光される。
【００３３】
以上のように、ユーザは、目的に応じて、各スイッチを操作することにより、この防滴カメラ１を操作する。このユーザの操作に基づいて、ズームスイッチ７１、メインスイッチ７２またはレリーズスイッチ７３からＣＰＵ６１に信号が入力される。
【００３４】
測距部７４は、被写体からの光に基づいて、被写体までの距離を測定し、その測定した結果をＣＰＵ６１に出力する。測光部７５は、被写体からの光に基づいて、被写体の明るさを測定し、その測定した結果をＣＰＵ６１に出力する。
【００３５】
鏡筒駆動モータ１５は、ＣＰＵ６１の制御に応じて、鏡筒１１を進退動作させる。給送モータ７６は、ＣＰＵ６１の制御に応じて、スプロケット３３を駆動し、フィルムの巻上げ巻き戻しを行う。シャッタ７７は、ＣＰＵ６１の制御に応じて、フィルムを露光する。
【００３６】
次に、図５のフローチャートを参照して、防滴カメラ１の鏡筒動作処理を説明する。
【００３７】
ユーザは、撮影レンズ２８の焦点距離を変更するためにズームスイッチ７１を操作する。ズームスイッチ７１は、このユーザの操作に対応する信号をＣＰＵ６１に出力する。それに対応して、ステップＳ１において、ＣＰＵ６１は、鏡筒１１を前進させるか否かを判断する。
【００３８】
ステップＳ１において、鏡筒１１を前進させると判断された場合、ステップＳ２において、鏡筒駆動モータ１５は、ＣＰＵ６１の制御に応じて、鏡筒１１を前進させる。これにより、防滴カメラ１の鏡筒部空間３２の容積が大きくなるため、防滴カメラ１の外部の空気は、貫通孔４１、通気非通水性フィルタ４２、電池室３４、および通気口３５を介して、鏡筒部空間３２に取り込まれる。
【００３９】
ステップＳ１において、鏡筒１１を前進させないと判断された場合、ステップＳ３において、ＣＰＵ６１は、ズームスイッチ７１からの信号に基づいて、鏡筒１１を後退させるか否かを判断する。
【００４０】
ステップＳ３において、鏡筒１１を後退させると判断された場合、ステップＳ４において、鏡筒駆動モータ１５は、ＣＰＵ６１の制御に応じて、鏡筒１１を後退させる。これにより、防滴カメラ１の鏡筒部空間３２の容積が小さくなるため、鏡筒部空間３２の空気は、通気口３５、電池室３４、通気非通水性フィルタ４２、および貫通孔４１を介して、防滴カメラ１の外部に放出される。
【００４１】
ステップＳ３において、鏡筒１１を後退させないと判断された場合、処理は終了する。
【００４２】
以上のように、鏡筒１１の進退動作により、鏡筒部空間３２の空気が防滴カメラ１の外部に出し入れされる。また、撮影レンズ２８の焦点距離を変更するためのズームスイッチ７１の操作は、ユーザにより撮影される際に、実行されることの多い操作であるので、鏡筒部空間３２の空気の出し入れも頻繁に実行される。
【００４３】
以上により、燃料電池１４の収められた電池室３４内でも空気の流動が発生し、燃料電池１４に、エネルギーの発生（発電）に必要な充分な酸素の供給がされるようになる。
【００４４】
次に、図６および図７を参照して、本発明を適用した防滴カメラの外観の他の構成例を説明する。なお、図６は、防滴カメラの外観の構成例を示す正面図であり、図７は、図６のＢ−Ｂにおいて切断された断面図である。また、図６および図７の防滴カメラ１０１においては、図２および図３において、貫通孔４１および通気非通水性フィルタ４２が、貫通孔１１１および通気非通水性フィルタ１１２に置き換えられた点を除いて、その他の構成は、図２および図３に示される防滴カメラ１と基本的に同じであり、その説明は繰り返しになるので省略する。
【００４５】
防滴カメラ１０１においては、貫通孔１１１−１乃至１１１−４（以下、これらを個々に区別する必要がない場合、単に貫通孔１１１と称する）が、燃料電池１４が収められている電池室３４の前面である前カバー２１−２（図６におけるストロボ１３の下）に設けられる。また、貫通孔１１１の内部には、それぞれ通気非通水性フィルタ１１２が取り付けられている。
【００４６】
したがって、防滴カメラ１０１においては、この貫通孔１１１および通気非通水性フィルタ１１２を介して、電池室３４内の空気が防滴カメラ１０１の外部に出し入れされる。
【００４７】
また、鏡筒１１が進退動作を行い、鏡筒部空間３２の容積が変化した場合、鏡筒部空間３２の空気は、通気口３５、電池室３４、通気非通水性フィルタ１１２および貫通孔１１１を介して、防滴カメラ１０１の外部に出し入れされる。
【００４８】
さらに、図８は、本発明を適用した防滴カメラのさらに他の構成例を示す図である。なお、図８は、防滴カメラを下から見た底面図である。図８の貫通孔１４１は、図２における貫通孔４１と、基本的に同じ構成であり、その図示および説明は繰り返しになるので省略する。
【００４９】
防滴カメラ１３１においては、燃料電池１４が収められている電池室３４の底面に、貫通孔１４１−１乃至１４１−３が設けられている。また、貫通孔１４１−１乃至１４１−３の内部にも同様に、それぞれ通気非通水性フィルタ（図示せず）が取り付けられている。
【００５０】
したがって、防滴カメラ１３１においては、この貫通孔１４１および通気非通水性フィルタを介して、電池室３４内の空気が防滴カメラ１３１の外部に出し入れされる。
【００５１】
以上のようにして、通気非通気性フィルタの取り付けられた貫通孔を防滴カメラの側面だけでなく、前面または底面に設けるようにしてもよい。
【００５２】
以上のように、燃料電池の収められた電池室に、通気性非通気性フィルタの取り付けられた貫通孔を設けるようにしたので、防滴機能を維持しつつ、電池室内の空気が出し入れされる。また、通気口を設け、鏡筒の進退動作により、鏡筒部空間の空気を防滴カメラの外部に出し入れするようにしたので、電池室内の空気が、さらに流動するようになる。
【００５３】
上記においては、防滴カメラについて説明したが、防滴機能を有する他の電子機器にも、本発明は適用される。
【００５４】
【発明の効果】
以上の如く、本発明によれば、燃料電池の性能の低下が抑制される。また、本発明によれば、燃料電池に充分な酸素を供給できる。
【図面の簡単な説明】
【図１】本発明を適用した防滴カメラの正面の構成例を示す図である。
【図２】図１の防滴カメラのＡ−Ａにおいて切断された断面の構成例を示す図である。
【図３】図１の防滴カメラの側面の構成例を示す図である。
【図４】図１の防滴カメラの電気的な構成例を示すブロック図である。
【図５】図１の防滴カメラの鏡筒動作処理を説明するフローチャートである。
【図６】本発明を適用した防滴カメラの正面の他の構成例を示す図である。
【図７】図６の防滴カメラのＢ−Ｂにおいて切断された断面の構成例を示す図である。
【図８】本発明を適用した防滴カメラの底面のさらに他の構成例を示す図である。
【符号の説明】
１  防滴カメラ
１１  鏡筒
１４  燃料電池
１５  鏡筒駆動モータ
３２  鏡筒部空間
３４  電池室
３５  通気口
４１，４１−１乃至４１−４  貫通孔
４２  通気非通水性フィルタ
６１  ＣＰＵ
１０１  防滴カメラ
１１１，１１１−１乃至１１１−４  貫通孔
１１２  通気非通水性フィルタ
１３１  防滴カメラ
１４１−１乃至１４１−３  貫通孔
【図１】
0004438290.tif 000002
【図２】
0004438290.tif 000003
【図３】
0004438290.tif 000004
【図４】
0004438290.tif 000005
【図５】
0004438290.tif 000006
【図６】
0004438290.tif 000007
【図７】
0004438290.tif 000008
【図８】
0004438290.tif 000009